(57)【特許請求の範囲】
【請求項１】
水栓内に設けられた弁座に対して弁体を近接および離間させるためのスピンドル軸にインサート部材を介してハンドルを取り付けてあり、
さらに、前記インサート部材は、一端にハンドルが固定される頭部を有するとともに、他端に前記スピンドル軸の一端に形成されたアウターセレーションと噛み合うインナーセレーションが内壁に設けられる円筒部を有するハンドルの取り付け構造であって、
前記スピンドル軸として、少なくとも前記アウターセレーションの径の大きさが同じで歯数の異なる二つのタイプのものとでもハンドルのみを取り換える際に噛み合い可能なように、
前記インナーセレーションが、前記円筒部の内壁の周方向に互いに隣接して形成された複数の山と、これら複数の山と対向する位置に形成された同数の山とから構成されることを特徴とするハンドルの取り付け構造。
【請求項２】
水栓内に設けられた弁座に対して弁体を近接および離間させるためのスピンドル軸にインサート部材を介してハンドルを取り付けてあり、
さらに、前記インサート部材は、一端にハンドルが固定される頭部を有するとともに、他端に前記スピンドル軸の一端に形成されたアウターセレーションと噛み合うインナーセレーションが内壁に設けられる円筒部を有するハンドルの取り付け構造であって、
前記スピンドル軸の前記アウターセレーションの径の大小にかかわらずハンドルのみを取り換える際に前記アウターセレーションを前記インナーセレーションにがたつきなく噛み合わせるため前記インナーセレーションが形成される前記円筒部の内壁を、頭部側ほど狭くなるテーパ状に形成してあることを特徴とするハンドルの取り付け構造。
【請求項３】
水栓内に設けられた弁座に対して弁体を近接および離間させるためのスピンドル軸にインサート部材を介してハンドルを取り付けてあり、
さらに、前記インサート部材は、一端にハンドルが固定される頭部を有するとともに、他端に前記スピンドル軸の一端に形成されたアウターセレーションと噛み合うインナーセレーションが内壁に設けられる円筒部を有するハンドルの取り付け構造であって、
前記スピンドル軸として、少なくとも前記アウターセレーションの径の大きさが同じで歯数の異なる二つのタイプのものとでもハンドルのみを取り換える際に噛み合い可能なように、
前記インナーセレーションが、前記円筒部の内壁の周方向に互いに隣接して形成された複数の山と、これら複数の山と対向する位置に形成された同数の山とから構成されるとともに、
前記スピンドル軸の前記アウターセレーションの径の大小にかかわらずハンドルのみを取り換える際に前記アウターセレーションが前記インナーセレーションと噛み合うよう前記インナーセレーションが形成される前記円筒部の内壁を、頭部側ほど狭くなるテーパ状に形成してあることを特徴とするハンドルの取り付け構造。
【請求項４】
前記インサート部材の円筒部の側壁に貫通孔を設け、この貫通孔を挿通可能な固定ビスの先端を前記スピンドル軸のアウターセレーションに当接させてある請求項１〜３のいずれかに記載のハンドルの取り付け構造。
【請求項５】
前記円筒部から頭部に向けて形成された長孔と、スピンドル軸の一端部に形成されたネジ孔とに、平面視がほぼＣ字状のスプリングピンを挿入してある請求項１〜４のいずれかに記載のハンドルの取り付け構造。
【発明の詳細な説明】
【０００１】
【発明の属する技術分野】
本発明は、水栓のスピンドル軸にハンドルを取り付けるためのハンドルの取り付け構造に関する。
【０００２】
【従来の技術】
水栓内に設けられた弁座に対して弁体を接近および離間させるためのスピンドル軸に、インサート部材を介してハンドルを取り付けてある従来のハンドルの取り付け構造として、前記インサート部材の下部に、前記スピンドル軸の上端外周に形成されたアウターセレーションと噛み合うインナーセレーションが形成されており、インサート部材の頭部をハンドルの下部に固定した後、インサート部材のインナーセレーションをスピンドル軸のアウターセレーションに噛み合わせ、ハンドルの上下方向に形成された孔と、スピンドル軸の上部に形成されたネジ孔とをネジで螺着する構成を採用したものがある。
【０００３】
【発明が解決しようとする課題】
ところで、市場に出回っている水栓のスピンドル軸の上端に形成されたアウターセレーションは、その歯数と径の大きさを基準にすると、径が９．８ｍｍで歯数が１８のもの、径が９．８ｍｍで歯数が１６のもの、径が９．５ｍｍで歯数が１６のものの三タイプに分けることができる。
【０００４】
そのため、上記のようなハンドルの取り付け構造により取り付けられたハンドルのみを取り換える際には、スピンドル軸のタイプに対応するインサート部材を用意しなければならず、このようなことを考慮すると、取り換え用のハンドルなどには、ハンドル一つにつき、三タイプのインサート部材を用意する必要があることから、コストが上昇することになっていた。
【０００５】
本発明は上述の事柄に留意してなされたもので、その目的は、水栓のスピンドル軸のタイプに拘わらず一つのインサート部材を用意するだけでハンドルを取り付けることができ、コストを下げることが可能なハンドルの取り付け構造を提供することである。
【０００６】
【課題を解決するための手段】
上記目的を達成するために、本発明のハンドルの取り付け構造は、水栓内に設けられた弁座に対して弁体を近接および離間させるためのスピンドル軸にインサート部材を介してハンドルを取り付けてあり、
さらに、前記インサート部材は、一端にハンドルが固定される頭部を有するとともに、他端に前記スピンドル軸の一端に形成されたアウターセレーションと噛み合うインナーセレーションが内壁に設けられる円筒部を有するハンドルの取り付け構造であって、
前記スピンドル軸として、少なくとも前記アウターセレーションの径の大きさが同じで歯数の異なる二つのタイプのものとでもハンドルのみを取り換える際に噛み合い可能なように、
前記インナーセレーションが、前記円筒部の内壁の周方向に互いに隣接して形成された複数の山と、これら複数の山と対向する位置に形成された同数の山とから構成されることを特徴とする（請求項１）。
【０００７】
また、本発明は別の観点から、水栓内に設けられた弁座に対して弁体を近接および離間させるためのスピンドル軸にインサート部材を介してハンドルを取り付けてあり、
さらに、前記インサート部材は、一端にハンドルが固定される頭部を有するとともに、他端に前記スピンドル軸の一端に形成されたアウターセレーションと噛み合うインナーセレーションが内壁に設けられる円筒部を有するハンドルの取り付け構造であって、
前記スピンドル軸の前記アウターセレーションの径の大小にかかわらずハンドルのみを取り換える際に前記アウターセレーションを前記インナーセレーションにがたつきなく噛み合わせるため前記インナーセレーションが形成される前記円筒部の内壁を、頭部側ほど狭くなるテーパ状に形成してあることを特徴とするハンドルの取り付け構造を提供する（請求項２）。
そして、本発明はさらに別の観点から、水栓内に設けられた弁座に対して弁体を近接および離間させるためのスピンドル軸にインサート部材を介してハンドルを取り付けてあり、
さらに、前記インサート部材は、一端にハンドルが固定される頭部を有するとともに、他端に前記スピンドル軸の一端に形成されたアウターセレーションと噛み合うインナーセレーションが内壁に設けられる円筒部を有するハンドルの取り付け構造であって、
前記スピンドル軸として、少なくとも前記アウターセレーションの径の大きさが同じで歯数の異なる二つのタイプのものとでもハンドルのみを取り換える際に噛み合い可能なように、
前記インナーセレーションが、前記円筒部の内壁の周方向に互いに隣接して形成された複数の山と、これら複数の山と対向する位置に形成された同数の山とから構成されるとともに、
前記スピンドル軸の前記アウターセレーションの径の大小にかかわらずハンドルのみを取り換える際に前記アウターセレーションが前記インナーセレーションと噛み合うよう前記インナーセレーションが形成される前記円筒部の内壁を、頭部側ほど狭くなるテーパ状に形成してあることを特徴とするハンドルの取り付け構造を提供する（請求項３）。
【０００８】
請求項１によれば、水栓のスピンドル軸のタイプに拘わらずハンドルを取り付けることができ、コストを下げることが可能なハンドルの取り付け構造を提供することができる。
【０００９】
また、請求項２によれば、径の異なるスピンドル軸のアウターセレーションを、それぞれ円筒部のインナーセレーションに、がたつきなく噛み合わせることができる。
そして、請求項３によれば、水栓のスピンドル軸のタイプに拘わらずハンドルを取り付けることができ、コストを下げることが可能であるとともに、径の異なるスピンドル軸のアウターセレーションを、それぞれ円筒部のインナーセレーションに、がたつきなく噛み合わせることができるハンドルの取り付け構造を提供することができる。
【００１０】
さらに、前記インサート部材の円筒部の側壁に貫通孔を設け、この貫通孔を挿通可能な固定ビスの先端を前記スピンドル軸のアウターセレーションに当接させてあるとした場合には（請求項４）、ハンドルがスピンドル軸から抜けることを防止するとともに、ハンドルの軸芯回りのがたつきをなくすことができる。
【００１１】
また、前記円筒部から頭部に向けて形成された長孔と、スピンドル軸の一端部に形成されたネジ孔とに、平面視がほぼＣ字状のスプリングピンを挿入してあるとした場合には（請求項５）、ハンドルの横方向へのがたつきを防止することができる。
【００１２】
【発明の実施の形態】
以下、この発明の実施例を、図を参照しながら説明する。
図１および図２は、本発明の第一実施例に係るハンドルの取り付け構造Ｄの構成を概略的に示す縦断面図および分解斜視図である。また、図３（Ａ）および（Ｂ）は、インサート部材３の構成を概略的に示す縦断面図および横断面図である。
ハンドルの取り付け構造Ｄは、水栓１内に設けられた弁座（図示せず）に対して弁体（図示せず）を近接および離間させるためのスピンドル軸２に、インサート部材３と平面視がほぼＣ字状のスプリングピン４とを介してハンドルＨを取り付けるように構成されたものである。
【００１３】
前記水栓１は、たとえば単水栓や湯水混合栓などであり、ハンドルＨを用いてスピンドル軸２を回動操作することにより、水栓１の内部に設けられた弁座に対して弁体が近接、離間し、この近接、離間によって、水栓１からの湯や水の吐水量が調整される構成となっている。
【００１４】
前記スピンドル軸２の上端外周には、アウターセレーション２ａが形成されており、また、スピンドル軸２の上端中央から下方に向けて長孔２ｂが形成されている。なお、前記長孔２ｂは、通常ネジ孔である。
【００１５】
前記インサート部材３は、外径がほぼ円筒状もしくは円柱状に形成された部材であり、上端に形成された頭部５と、ほぼ中央に形成された小径部６と、下端に形成された円筒部７とからなり、この円筒部７から頭部５に向けて長孔１０が形成されている。
【００１６】
前記頭部５は、平面視が正六角形であり、その上面および側面が前記ハンドルＨの下部に固定されている。
【００１７】
前記円筒部７の内壁には、前記スピンドル軸２のアウターセレーション２ａと噛み合うインナーセレーション７ａが設けられており、また、円筒部７の側壁の開放端付近すなわち下端付近には、固定ビス８が挿通可能な貫通孔８ａが設けられている。なお、この貫通孔８ａを挿通した固定ビス８の先端は、インナーセレーション７ａと噛み合った状態のアウターセレーション２ａに当接することから、スピンドル軸２に対するインサート部材３のその軸芯回りのがたつきが防止されるとともに、ハンドルＨがスピンドル軸２から抜けることが防止され、さらに、ハンドルＨがその軸芯回りにがたつくことが防止される。
【００１８】
前記インナーセレーション７ａは、前記円筒部７の内壁の周方向に互いに隣接して形成された三つの山９、９、９と、これら三つの山９、９、９と対向する位置に形成された三つの山９、９、９とから構成される。
【００１９】
ところで、市場に出回っている水栓のスピンドル軸２の上端に形成されたアウターセレーション２ａは、その歯数と径の大きさを基準にすると、歯数が１６で径が９．５ｍｍのタイプのもの（以下、タイプＡという）、歯数が１６で径が９．８ｍｍのタイプのもの（以下、タイプＢという）、歯数が１８で径が９．８ｍｍのタイプのもの（以下、タイプＣという）の三タイプに分けることができる。そして、上記の構成からなるインナーセレーション７ａは、スピンドル軸２のアウターセレーション２ａがタイプＡ，Ｂ，Ｃのいずれのタイプのものであっても噛み合うことができるのである。
【００２０】
詳述すると、図４（Ａ）に示すように、タイプＡとタイプＢは、径が異なるのみで歯数が同じであるから、これら二つのタイプＡ，Ｂのどちらか一方と噛み合うことが可能なインナーセレーションは、他方とも噛み合うことが可能である。また、図４（Ｂ）に示すように、タイプＢとタイプＣは、径が同じであり、両者の歯が重なる部分１１が両側にそれぞれ三箇所、計六箇所ある。従って、これら六箇所の重なる部分１１、１１…に当接する歯９、９…を円筒部７内壁の両端部に有するインナーセレーション７ａは、アウターセレーション２ａが、タイプＡ，Ｂ，Ｃのいずれであっても、噛み合うことができるのである。なお、図５（Ａ）は、タイプＡのアウターセレーション２ａとインナーセレーション７ａとが噛み合った状態を概略的に示す横断面図であり、図５（Ｂ）は、タイプＣのアウターセレーション２ａとインナーセレーション７ａとが噛み合った状態を概略的に示す横断面図である。また、タイプＢとタイプＡとは径が異なるのみであることから、タイプＢのアウターセレーション２ａとインナーセレーション７ａとが噛み合った状態の図は省略する。
【００２１】
前記インナーセレーション７ａは、前記円筒部７の内壁の周方向に互いに隣接して形成された三つの山９、９、９と、これら三つの山９、９、９と対向する位置に形成された三つの山９、９、９とからなるという構成に限るものではない。すなわち、インナーセレーション７ａは、円筒部７の内壁の両端部に形成された複数の山９から構成されていればよく、前記山９の数は、２〜６個のいずれでもよい。もちろん、上記したように、山９は前記重なる部分１１、１１…に当接させるためのものであるから、円筒部７内壁の各端部に形成可能な山９の数は３個までである。
【００２２】
前記長孔１０の上端は、上側ほど狭まるテーパ状に形成されている。
【００２３】
前記スプリングピン４は、前記インサート部材３の長孔１０内にその一端部が挿入され、スピンドル軸２の上端部に形成された長孔２ｂ内にその他端部が挿入される。このように用いられるスプリングピン４は、スピンドル軸２に対してインサート部材３が横方向にがたつくことを防止するためのものであり、ひいてはハンドルＨの横方向のがたつきを防止することが可能である。
【００２４】
また、スプリングピン４は、長さ方向に形成された切り欠き部分４ａを有していることから、たとえばスピンドル軸２の長孔２ｂの径が、変形前のスプリングピン４を挿入できないほど小さくても、前記切り欠き部分４ａを狭める付勢を加えてスプリングピン４を変形させることで、挿入することが可能となる。さらに、上記のように変形された状態でスピンドル軸２の長孔２ｂ内に挿入されたスプリングピン４は、自らの弾性によって変形前の状態に戻る方向に付勢され、長孔２ｂ内に確実に固定されることになり、さらにはスピンドル軸２の軸芯とハンドルＨの軸芯とを同一直線上に合わせる、いわゆるセンタリングを行うことができるのである。このような効果を奏するために、前記スプリングピン４の変形前の大きさを、スピンドル軸２の長孔２ｂおよびインサート部材３の長孔１０の径よりも若干大きくしておくことが望ましい。
【００２５】
前記ハンドルＨは、通常の単水栓や湯水混合栓などに用いられる一般的な構成のものでもよいし、鳥や熊などの動物や家、山などの外観を呈するように装飾されたものでもよい。また、ハンドルＨの上端から下方に向けて形成された孔（図示せず）と、スピンドル軸２の上部に形成された長孔２ｂとにネジを螺着させて、ハンドルＨとスピンドル軸２とを固定する構成を採用したもの、すなわち前記ネジ孔を有し、かつこのネジ孔の上方からネジを螺着することが可能であるものでもよいし、そのような構成を採用していないもの、すなわち前記ネジ孔を有していないか、または前記ネジ孔を有しているが、その上方からネジを螺着することが不可能であるものでもよい。
【００２６】
次に、ハンドルＨのスピンドル軸２への取り付け方について説明する。
ハンドルＨをスピンドル軸２に取り付けるには、まず、ハンドルＨにインサート部材３を固定した後、スプリングピン４の両端をそれぞれインサート部材３の長孔１０とスピンドル軸２の長孔２ｂとに挿入し、インサート部材３のインナーセレーション７ａとスピンドル軸２のアウターセレーション２ａとを噛み合わせる。そして、最後に、固定ビス８をインサート部材３の貫通孔８ａに挿通させ、固定ビス８の先端をスピンドル軸２のアウターセレーション２ａに当接させることで完了する。なお、前記インサート部材３は、あらかじめハンドルＨに固定されていてもよい。
【００２７】
上記の構成からなるハンドルの取り付け構造Ｄでは、ハンドルＨをスピンドル軸２に取り付けるために、スプリングピン４を用いているが、このスプリングピン４を用いない構成としてもよい。この場合には、前記貫通孔８ａおよび固定ビス８を複数（たとえばそれぞれ３つずつ）設けるようにし、複数の固定ビス８，８…の先端をアウターセレーション２ａに当接させることによって、スプリングピン４を用いないことで失ったハンドルＨの横方向へのがたつきを防止するという機能を補完することが望ましい。もちろん、スプリングピン４を用いるとともに、貫通孔８ａおよび固定ビス８を複数設けるようにしてもよく、この場合には、より確実にハンドルＨの横方向へのがたつきを防止することが可能となる。
【００２８】
図６は、本発明の第二実施例に係るハンドルの取り付け構造Ｄ2 に用いられるインサート部材の構成を概略的に示す縦断面図である。なお、上記第一実施例に示したものと同一構造の部材については、同じ符号を付し、その説明を省略する。
ハンドルの取り付け構造Ｄ2 の構成および効果は、上記第一実施例のものとほとんど同じであるが、相違点は、円筒部７の内壁が、頭部５側ほど狭くなるテーパ状に形成されている点である。
【００２９】
上記の構成からなるハンドルの取り付け構造Ｄ2 では、径の異なるスピンドル軸２のアウターセレーション２ａを、それぞれインサート部材３の円筒部７のインナーセレーション７ａにがたつきなく噛み合わせることができる。すなわち、径が比較的小さいスピンドル軸２のアウターセレーション２ａ（たとえばタイプＡのもの）をインサート部材３のインナーセレーション７ａに噛み合わせた場合には、図７（Ａ）に示すように、スピンドル軸２の先端は、インサート部材３の円筒部７の上部側まで進入することになり、また、径が比較的大きいスピンドル軸２のアウターセレーション２ａ（たとえばタイプＢまたはＣのもの）をインサート部材３のインナーセレーション７ａに噛み合わせた場合には、図７（Ｂ）に示すように、スピンドル軸２の先端は、インサート部材３の円筒部７の下部側までしか進入しないことになる。したがって、径が比較的小さいスピンドル軸２のアウターセレーション２ａは、内径がより小さくなる円筒部７の上部側のインナーセレーション７ａと噛み合い、径が比較的大きいスピンドル軸２のアウターセレーション２ａは、内径がより大きくなる円筒部７の下部側のインナーセレーション７ａと噛み合うのである。
【００３０】
上記の構成からなるハンドルの取り付け構造Ｄ2 において、貫通孔８ａおよび固定ビス８の数は、複数としてもよいし、一つずつとしてもよい。また、前記スプリングピン４は用いてもよいし、用いなくてもよい。
【００３１】
上記の構成からなるハンドルの取り付け構造Ｄ、Ｄ2 によれば、１種類のインサート部材３を用いるだけで、形状が異なる種々のスピンドル軸２にハンドルＨを取り付けることが可能となる。
【００３２】
【発明の効果】
以上説明したように、本発明によれば、水栓のスピンドル軸のタイプに拘わらずハンドルを取り付けることができ、コストを下げることが可能なハンドルの取り付け構造を提供することができる。
【図面の簡単な説明】
【図１】  本発明の第一実施例に係るハンドルの取り付け構造の構成を概略的に示す縦断面図である。
【図２】  上記実施例の要部の構成を概略的に示す分解斜視図である。
【図３】  （Ａ）は、上記実施例におけるインサート部材の構成を概略的に示す縦断面図であり、（Ｂ）は、前記インサート部材の構成を概略的に示す横断面図である。
【図４】  （Ａ）は、タイプＡおよびＢのアウターセレーションを比較するための説明図であり、（Ｂ）は、タイプＢおよびＣのアウターセレーションを比較するための説明図である。
【図５】  （Ａ）は、タイプＡのアウターセレーションとインナーセレーションとが噛み合った状態を概略的に示す横断面図であり、（Ｂ）は、タイプＣのアウターセレーションとインナーセレーションとが噛み合った状態を概略的に示す横断面図である。
【図６】  本発明の第二実施例に係るハンドルの取り付け構造に用いられるインサート部材の構成を概略的に示す縦断面図である。
【図７】  （Ａ）は、径が比較的小さいスピンドル軸と上記インサート部材とが噛み合った状態を概略的に示す縦断面図であり、（Ｂ）は、径が比較的大きいスピンドル軸と上記インサート部材とが噛み合った状態を概略的に示す縦断面図である。
【符号の説明】
１…水栓、２…スピンドル軸、２ａ…アウターセレーション、３…インサート部材、５…頭部、７…円筒部、７ａ…インナーセレーション、９…山、Ｄ…ハンドルの取り付け構造、Ｈ…ハンドル。
【図１】
0004410358.tif 000002
【図２】
0004410358.tif 000003
【図３】
0004410358.tif 000004
【図４】
0004410358.tif 000005
【図５】
0004410358.tif 000006
【図６】
0004410358.tif 000007
【図７】
0004410358.tif 000008